(57)【特許請求の範囲】
【請求項１】
センター側網制御装置と、当該センター側網制御装置と通信回線を介して接続された端末側網制御装置と、当該端末側網制御装置に接続された無線親機と、当該無線親機と無線回線を介して通信を行う複数の無線子機と、前記無線親機および前記無線子機に接続されたメータとからなり、相手局登録を無線子機のみの操作で行える無線テレメータシステムにおいて、
相手局登録済みの無線子機から新規の無線子機への無線親機の登録情報送信操作を、前記相手局登録済みの無線子機と前記新規の無線子機とに備えられている相手局登録用スイッチの押下により行い、
前記新規な無線子機は、前記相手局登録済みの無線子機から受信した前記無線親機の登録情報に基づいて、前記無線親機に対して相手局登録要求を行い、
前記無線親機に対する前記相手局登録要求の結果が登録失敗の場合、前記新規な無線子機は、登録失敗のエラー内容表示を行うとともに、前記無線親機の登録情報を消去することを特徴とする無線テレメータシステム。
【請求項２】
前記相手局登録済みの無線子機からの前記無線親機の登録情報の送信は、前記相手局登録済みの無線子機の前記相手局登録用スイッチを押下し、さらに、前記相手局登録済みの無線子機の相手局登録用スイッチを再度押下することで実施されることを特徴とする請求項１記載の無線テレメータシステム。
【請求項３】
前記無線親機に対する前記相手局登録要求の結果が登録成功の場合、前記新規な無線子機は、センターに対して相手局登録完了通知を行い、前記センターから自己の正規ユーザＩＤを取得することを特徴とする請求項１記載の無線テレメータシステム。
【請求項４】
前記新規な無線子機は、前記センターとの通信終了後、取得した前記正規ユーザＩＤを前記無線親機に通知することを特徴とする請求項３記載の無線テレメータシステム。
【発明の詳細な説明】
【技術分野】
【０００１】
本発明は、端末側網制御装置（以下、Ｔ−ＮＣＵと略す）に接続された無線親機（以下、親機と略す）と、親機と無線回線を介して通信を行う複数の無線子機（以下、子機と略す）と、親機または子機に接続されたガス、水道、電気等のメータによって構成される、無線テレメータシステムに関し、特に新規な子機についての相手局登録に関する。
【背景技術】
【０００２】
無線通信による相手局登録は、従来、図７に示すシーケンスで行われている。図７中のステップの符号（Ｓ１〜Ｓ４）は、図３に示す符号であって従来の相手局登録の手順と同じ手順である。親機または子機のどちらか一方、例えば子機は、その相手局登録用スイッチを押下して（Ｓ１）、親機登録情報受信待ち（Ｓ２）の状態になる。この状態で親機の相手局登録用スイッチを押下することにより、親機は登録開始コマンドと自局の登録情報（親機の無線識別符号および自局のユーザＩＤ）を送信する。子機は親機登録情報を受信し（Ｓ３）、相手局である親機の登録情報（無線識別符号およびユーザＩＤ）を相手局ＩＤ記憶部に記憶するとともに、親機に対して自局の登録情報（子機の無線識別符号および自局のユーザＩＤ）と記憶した相手局（親機）の無線識別符号および相手局ユーザＩＤを送信する（Ｓ４）。この子機登録情報を受信した親機は、受信した自局の無線識別符号および自局ユーザＩＤを確認し、誤りがなければ受信した相手局（子機）の無線識別符号および相手局ユーザＩＤを相手局ＩＤ記憶部に記憶するという動作により行われる。
【０００３】
本出願人は、相手局が未登録である無線子機が、相手局である無線親機の情報を登録済みの無線子機から、無線親機の情報を得る手段として、専用治具を使用した有線通信方式と、専用スイッチによる動作設定で、無線子機間で無線親機情報を無線通信によって送受信する技術を提案している（特許文献１）。
【０００４】
また、相手局登録を無線通信によって行い、相互のＩＤ情報を送受信し、登録を行っており、登録に使用するＩＤは無線端末の製造時に書き込まれる製造番号等を使用している通信システムが提案されている（特許文献２）。
【０００５】
無線テレメータシステムによっては、ユーザＩＤを専用の設定器によって書き込んだ後、相手局登録を無線通信によって行うものもある。
【０００６】
上記のような従来の無線システムにおいて、既に運用されているシステムに子機を追加する必要が発生した場合、上述のように相手局登録を行うために、親機および子機の相手局登録用スイッチを各々押下する必要がある。
ここで親機は既に設置済みのため、設置場所によっては相手局登録用スイッチを押下することが困難である場合があるという問題があった。
また、特許文献１に記載されている技術では、専用治具が必要である、無線子機に専用のスイッチを設ける必要がある、更にはコストアップとなるなどの付随する問題がある。        
【特許文献１】特開２００７−１８４７４２号公報
【特許文献２】特開平１１−２７７６０号公報
【発明の開示】
【発明が解決しようとする課題】
【０００７】
そこで、追加する子機における親機との間での相手局登録を、子機のみの操作で行うことができるようにする点で解決すべき課題がある。
【０００８】
この発明の目的は、追加する子機における親機との間での相手局登録を子機のみの操作で行うことにより、親機の相手局登録用スイッチを押下することなく、親機の登録情報を取得し、親機との間で相手局登録を行うことを可能にする無線テレメータシステムを提供することである。
【課題を解決するための手段】
【０００９】
上記課題を解決するため、本発明による無線テレメータシステムは、子機が相手局登録を子機のみの操作で行える相手局登録手段を備えている。また、相手局登録を子機のみの操作で行うために必要となる親機の情報を子機に事前登録するための、親機情報登録手段を備えている。これによって、追加する子機は、相手局登録を行う親機に対して、相手局登録信号を送出し、目的とする親機と相手局登録を行うことができる。
【発明の効果】
【００１０】
上記のように構成された本発明による無線テレメータシステムは、以下のような効果を奏する。
１．相手局登録を子機のみの操作で行えるので、従来のように親機の設置場所が相手局登録用スイッチを押下することが困難な場合でも、簡単に追加する子機の相手局登録が行える。
２．子機は専用の親機情報登録スイッチを備える必要がなく、標準で具備している相手局登録用スイッチによって、相手局登録済みの子機から親機の登録情報を取得するので、コストアップすることなく、子機のみの操作による相手局登録を実現可能である。
３．相手局未登録の子機は、製造時に仮のユーザＩＤとして無線識別符号と同一の値が設定されており、相手局登録時に正規ユーザＩＤをセンターから取得するので、ユーザＩＤを設定するための設定器等の専用治具を不要であり、ユーザＩＤが正規のＩＤでない場合は、無線受信動作を停止し、電池の無駄な消費を防止できる。
【発明を実施するための最良の形態】
【００１１】
以下、本発明による無線テレメータシステムの実施形態を、図面を用いて詳細に説明する。図１は、本発明における無線テレメータシステムの一実施例の形態を示すシステム構成図である。無線テレメータシステムは、ホストコンピュータ１に接続されたセンター側網制御装置２と、センター側網制御装置２に電話回線を介して接続された端末側網制御装置（「Ｔ−ＮＣＵ」と略す）３と、Ｔ−ＮＣＵ３に接続された無線親機（「親機」と略す）４と、親機４に接続されたメータ６ｎと、親機４と無線回線を介して通信を行う複数の無線子機（「子機」と略す）５ａ〜５ｍと、子機５ａ〜５ｍに接続されたメータ６ａ〜６ｍによって構成されている。
【００１２】
図２は、本発明における親機および子機の構成を示すブロック図である。親機４および子機５ａ〜５ｍは、それぞれ、アンテナ７と、アンテナ７に接続され親機４または子機５ａ〜５ｍと無線通信を行うための無線通信ユニット８と、親機４または子機５ａ〜５ｍの動作を制御する制御部９と、親機４の場合はＴ−ＮＣＵ３およびメータと接続するための、子機５ａ〜５ｍの場合はメータと接続するためのメータインターフェース部１０と、自己の無線局の呼出名称およびユーザＩＤを記憶している自局ＩＤ記憶部１１と、相手の無線局の呼出名称およびユーザＩＤを記憶している相手局ＩＤ記憶部１２と、相手局登録時に使用する登録スイッチおよび各種設定を行う設定スイッチで構成されるスイッチ部１３と、相手局登録動作の結果を示す表示部１４によって構成される。
相手局ＩＤ記憶部１２は、親機の場合には傘下の数の子機について、また子機の場合には相手局登録となる親機について記憶している。なお、自局ＩＤ記憶部１１内のユーザＩＤは製造時に仮のユーザＩＤとして、自己の無線局の呼出名称と同じ値が書き込まれており、正規のユーザＩＤは設置時に書き込まれる。
【００１３】
図３は本発明による無線テレメータシステムの子機における、相手局登録スイッチが押下された場合の動作を示すフローチャート、図４は本発明による無線テレメータシステムにおいて、新たに追加する子機が、相手局登録済みの別の子機から親機登録情報を取得し、親機に対して相手局登録要求を行う場合の動作を示すフローチャート、図５は本発明による無線テレメータシステムにおいて、相手局登録が完了した子機が正規ユーザＩＤを取得する動作を示すフローチャートである。また、図６は、本発明による相手局登録のシーケンスを示す図である。
【００１４】
本発明による無線テレメータシステムにおける、相手局未登録の子機５は、製造時に仮のユーザＩＤとして無線識別符号と同一の値が設定されており、相手局登録時に正規ユーザＩＤをセンターから取得する。これは、ユーザＩＤを設定するための設定器等の専用治具を不要とし、ユーザＩＤが正規のＩＤでない場合は、無線受信動作を停止し、電池の無駄な消費を防止するためである。
【００１５】
本発明による無線テレメータシステムの子機における、登録スイッチが押下された場合の相手局登録動作を図１、図２、図３および図６を用いて説明する。
【００１６】
工事担当者は既に稼働中の親機４と子機５ａから子機５ｌのシステムに子機５ｍを新たに追加する場合、まず親機４の情報を子機５ｍに登録するために、既に親機４と相手局登録が済んでいる子機、例えば子機５ａと、子機５ｍ各々のスイッチ部１３にある、相手局登録スイッチ（図示せず）を操作し、以下のような動作で子機５ｍに親機４の情報を登録する。
【００１７】
子機５の制御部９は、スイッチ部１３にある相手局登録スイッチの押下を定期的に確認する（ステップＳ１、以下「ステップ」は省略する）。登録済みの子機５ａと新規の子機５ｍは、それぞれの相手局登録スイッチが押下されると双方とも相手局登録動作状態となり、本追加操作においては、登録済みの子機５ａに登録されている親機４の登録情報を受信待ち状態となる（Ｓ２）。子機５の制御部９は、登録情報の受信有無をチェックし（Ｓ３）、受信した場合、応答として自局の登録情報を送信する（Ｓ４）。この動作は従来の相手局登録の動作である。
【００１８】
Ｓ３に戻って、子機５ａの制御部９は、登録情報を受信しない場合、スイッチ部１３にある相手局登録スイッチの再度押下を監視する（Ｓ５）。子機５ａの制御部９は、再度、相手局登録スイッチが押下された場合、本発明である子機間の親機登録情報の授受動作であると判断し、親機４の登録情報を子機５ｍに送信する（Ｓ６）。
【００１９】
子機５ａの制御部９は、登録情報の受信が無く（Ｓ３の判定がＮ）、再度の相手局登録スイッチの押下も無い場合（Ｓ５の判定がＮ）、あらかじめ設定されている親機４の登録情報の受信待ち時間に達しているか確認し（Ｓ７）、当該受信待ち時間に達していない場合（Ｓ７の判定がＮ）、引き続きＳ３に戻って親機登録情報の受信待ちおよび相手局登録スイッチの押下監視を行う。受信待ち時間に達している場合（Ｓ７の判定がＹ）、受信タイムアウトとして、待機状態に戻る。
【００２０】
次に、本発明の無線テレメータシステムにおいて、相手局登録済みの子機から親機登録情報を取得した新たに追加される子機５ｍが、親機に対して相手局登録要求を行う場合の動作を図１、図２、図４および図６を用いて説明する。
【００２１】
前述のようにして新たに追加される子機５ｍは、登録済みの子機５ａからの送信を受信して親機登録情報を取得すると（Ｓ８）、相手局ＩＤ記憶部１２に取得した当該親機登録情報を記憶し（Ｓ９）、当該親機登録情報に基づいて親機４に対して、自局の無線識別符号とユーザＩＤとを送信して相手局登録要求を行う（Ｓ１０）。親機４は、新規の子機５ｍについての子機情報を相手局ＩＤ記憶部１２に記憶し、当該子機５ｍに相手局登録完了通知を行う。子機５ｍの制御部９は、親機４に対して相手局登録要求後、相手局登録が正常に実施されたか監視を行い（Ｓ１１）、親機４において相手局登録が正常に実施された場合、表示部１４に登録完了表示を行う（Ｓ１２）。親機４の子機収容台数制限を超えている場合等の原因によって、親機４において相手局登録が正常に実施されなかった場合、子機５ｍの制御部９は、表示部１４に登録失敗表示を行い（Ｓ１３）、子機５ｍの相手局ＩＤ記憶部１２に記憶した親機登録情報のデータ消去を行う（Ｓ１４）。
【００２２】
以上のように、本発明による無線テレメータシステムにおいては、既に運用されているシステムに子機５ｍを追加する場合に、新規の子機５ｍは、既に親機４と相手局登録が済んでいる子機（例えば、５ａ）から、簡単な操作（登録済み子機の相手局登録スイッチの２度押下）にて無線通信にて親機４の情報を得ることができるので、親機４の相手局登録用スイッチを押下することが困難である場合でも、子機のみの操作で相手局登録を行うことができる。さらに、上記操作は子機５の相手局登録用スイッチのみで行えるので、機器のコストアップを招くことがない。
【００２３】
次に、相手局登録が完了した子機５ｍの正規ユーザＩＤを取得する動作を、図１、図２および図５を用いて説明する。
【００２４】
上記のように、親機４への相手局登録が正常に行えた子機５ｍの制御部９は、センターに相手局登録完了通知を行うために、親機４に対してセンター接続要求を行う（Ｓ１５）。子機５ｍからセンター接続要求を受けた親機４は、Ｔ−ＮＣＵを経由してセンターに接続する。子機５ｍの制御部９は、センターへの接続を監視する（Ｓ１６）。一定時間経過してもセンターから応答がない場合、受信タイムアウト（Ｓ１７の判定でＹ）として、一旦待機状態に戻り、再度、Ｓ１５のセンター接続要求を行う。一定時間経過していない場合（Ｓ１７の判定でＮ）、引き続きセンターからの応答を待つ（Ｓ１７）。センターからの応答があった場合、センターに相手局登録完了通知を行い、これに対するセンターからの応答として、子機５ｍの正規ユーザＩＤを取得する（Ｓ１８）。子機５ｍの制御部９は、正規ユーザＩＤを取得するすると、自局ＩＤ記憶部１１に前記正規ユーザＩＤを記憶し、センターとの通信を終了する（Ｓ１９）。子機５ｍの制御部９は、センターとの通信終了後、前記センターから取得した正規ユーザＩＤを親機４に通知する（Ｓ２０）。正規ユーザＩＤを受信した親機４の制御部９は、相手局ＩＤ記憶部１２に記憶している子機５ｍのＩＤを、正規ユーザＩＤに変更する。
【図面の簡単な説明】
【００２５】
【図１】本発明の無線テレメータシステムにおける、一実施例の形態を示すシステム構成図である。
【図２】本発明の無線テレメータシステムにおける親機および子機の構成を示すブロック図である。
【図３】本発明の無線テレメータシステムの子機における、相手局登録スイッチが押下された場合の動作を示すフローチャートである。
【図４】本発明の無線テレメータシステムにおける、新たに追加する子機が、相手局登録済みの子機から親機登録情報を取得し、親機に対して相手局登録要求を行う場合の動作を示すフローチャートである。
【図５】本発明の無線テレメータシステムにおいて、相手局登録が完了した子機が正規ユーザＩＤを取得する動作を示すフローチャートである。
【図６】本発明の無線テレメータシステムにおける、新たに追加する子機への相手局登録を行うシーケンス図である。
【図７】従来の無線テレメータシステムにおける、親機から新たに追加する子機への相手局登録を行うシーケンス図である。
【００２６】
１  ホストコンピュータ              ２  センター側網制御装置
３  Ｔ−ＮＣＵ                      ４  無線親機
５ａ〜５ｍ  子機                    ６ａ〜５ｎ  メータ
７  アンテナ                        ８  無線通信ユニット
９  制御部                        １０  メータインターフェース部
１１  自局ＩＤ記憶部                １２  相手局ＩＤ記憶部
１３  スイッチ部                    １４  表示部
【図１】
0004881287.tif 000002
【図２】
0004881287.tif 000003
【図３】
0004881287.tif 000004
【図４】
0004881287.tif 000005
【図５】
0004881287.tif 000006
【図６】
0004881287.tif 000007
【図７】
0004881287.tif 000008